(57)【要約】【課題】筐体の大型化や部品点数の増大なしに発光させるための開口部を複数配設する携帯電子機器を提供する。【解決手段】ＬＥＤ２８から照射された光は、導光板２４を介してリアケース２５に開けられた開口部２５３に配設された板金部材２６に到達してリアプレート２１の方向へと反射され、反射された光がリアプレート２１の端部領域２１１のハーフミラーにより一部が外部に放出され、残りは反射されてフロントケース３０の方向へと向かう。第１筐体１０１の内部方向に向かった光は、回路基板２９に開けられた開口部２９１、及びフロントケース３０に開けられた開口部３０１から第１筐体１０１のフロントケース３０側の面（液晶側の面）から外部へと放射される。【選択図】図５
2009267871.tif 000002
【特許請求の範囲】
【請求項１】
第１の開口部が形成された筐体と、
所定の透過率と反射率とを併せ持ち、前記第１の開口部を閉塞する閉塞部材と、
前記閉塞部材に対して光を直接的或いは間接的に照射する光照射部と、
を有し、
前記筐体には、前記閉塞部材における前記筐体内側の面に対向して第２の開口部が形成される
ことを特徴とする携帯電子機器。
【請求項２】
前記光照射部及び、前記閉塞部材における前記筐体内側の面に対向する領域に、金属部材が配設される
ことを特徴とする請求項１に記載の携帯電子機器。
【請求項３】
前記筐体内における前記第１の開口部、前記第２の開口部及び前記光照射部に対向する部位には、前記光照射部から照射された光を前記閉塞部材へと導く導光部材が配設される
ことを特徴とする請求項１または２に記載の携帯電子機器。
【請求項４】
前記導光部材は、前記光照射部から前記閉塞部材に向けて傾斜した傾斜面を有する
ことを特徴とする請求項１から３のいずれか一項に記載の携帯電子機器。
【請求項５】
前記筐体内には回路基板が配設され、
前記回路基板には、前記第１の開口部と前記第２の開口部の少なくとも一方に対向する部位に基準電位に電気的に接続された基準電位部が形成される
ことを特徴とする請求項１から４のいずれか一項に記載の携帯電子機器。
【請求項６】
前記金属部材は、前記基準電位部に電気的に接続される
ことを特徴とする請求項１から５のいずれか一項に記載の携帯電子機器。
【請求項７】
前記第２の開口部は、前記光照射部により照射されて前記閉塞部材により反射された光の進行方向に対応して前記筐体に形成される
ことを特徴とする請求項１から６のいずれか一項に記載の携帯電子機器。
【発明の詳細な説明】
【技術分野】
【０００１】
本発明は、光を照射する光照射部を有する携帯電子機器に関する。
【背景技術】
【０００２】
筐体の少なくとも一部を発光させる発光構造を有する携帯電子機器が知られている。
発光構造を有する携帯電子機器は、特定の動作、例えば、音声発着信動作、メール送受信動作、折り畳み型携帯電子機器の場合の開閉動作等に発光構造が光を発するように構成されている。発光構造を有する携帯電子機器は、発光により、携帯電子機器の利用者に対して、例えば表示部の表示を見ずとも着信やメール受信等を報知することができる。
このような発光構造として、特許文献１に開示された筐体発光構造がある。
【０００３】
特許文献１には、表面に開口が設けられた筐体と、この筐体に覆われ、前記開口と対向する位置に配設された基板と、この基板に取り付けられた光源（光照射部）と、前記基板に取り付けられ、前記光源の近傍に配置された光源近傍部とこの光源近傍部よりも前記筐体内壁の近傍に前記開口と対応して設けられた開口近傍部とを有する導光板とを備える筐体発光構造が開示されている。
【０００４】
【特許文献１】特開２００７−６８００４号公報
【発明の開示】
【発明が解決しようとする課題】
【０００５】
しかし、特許文献１に開示された技術では、光照射部と開口部とが一対一で対応しているため、２つ以上の開口部を配設しようとした場合に、開口部ごとに光源が必要となり、光源の配設スペースのために筐体が大型化してしまったり、部品点数が増大して製造工程・製造コストが増加したりする、という不利益が生じる。
【０００６】
本発明は、上述した不利益を解消するため、筐体の大型化や部品点数の増大なしに、発光させるための開口部を複数配設する携帯電子機器を提供することを目的とする。
【課題を解決するための手段】
【０００７】
上述した不利益を解消するために、第１の発明の携帯電子機器は、第１の開口部が形成された筐体と、所定の透過率と反射率とを併せ持ち、前記第１の開口部を閉塞する閉塞部材と、前記閉塞部材に対して光を直接的或いは間接的に照射する光照射部と、を有し、前記筐体には、前記閉塞部材における前記筐体内側の面に対向して第２の開口部が形成される。
【０００８】
好適には、前記光照射部及び、前記閉塞部材における前記筐体内側の面に対向する領域に、金属部材が配設される。
【０００９】
好適には、前記筐体内における前記第１の開口部、前記第２の開口部及び前記光照射部に対向する部位には、前記光照射部から照射された光を前記閉塞部材へと導く導光部材が配設される。
【００１０】
好適には、前記導光部材は、前記光照射部から前記閉塞部材に向けて傾斜した傾斜面を有する。
【００１１】
好適には、前記筐体内には回路基板が配設され、前記回路基板には、前記第１の開口部と前記第２の開口部の少なくとも一方に対向する部位に基準電位に電気的に接続された基準電位部が形成される。
【００１２】
好適には、前記金属部材は、前記基準電位部に電気的に接続される。
【００１３】
好適には、前記第２の開口部は、前記光照射部により照射されて前記閉塞部材により反射された光の進行方向に対応して前記筐体に形成される。
【発明の効果】
【００１４】
本発明によれば、筐体の大型化や部品点数の増大なしに発光させるための開口部を複数配設する携帯電子機器を提供することができる。
【発明を実施するための最良の形態】
【００１５】
以下、本発明の携帯電子機器の実施形態の一例として、携帯端末１００について説明する。
本発明の実施形態の携帯端末は、折り畳み型の携帯電話機を想定している。
図１は、携帯端末１００の外観の一例を示した図である。
図１（ａ）は携帯端末１００の開いた状態（開状態）を、図１（ｂ）は携帯端末１００の閉じた状態（閉状態）を示している。
図１（ａ）及び（ｂ）に示すように、携帯端末１００は表示装置１０、表示装置１０及びスピーカ１１が設けられた第１筐体１０１（本発明の筐体に対応）と、操作部１２及びマイク１３が設けられた第２筐体１０２とを有する。
第１筐体１０１と第２筐体１０２とは、ヒンジ部１０３を介して連結・係合される。ヒンジ部１０３は第１筐体１０１と第２筐体１０２とを互いに回動可能にするヒンジ機構を有している。ヒンジ部１０３により、第１筐体１０１及び第２筐体１０２は、図１（ａ）に示す携帯端末１００の開状態と図１（ｂ）に示す携帯端末１００の閉状態とを遷移可能である。
【００１６】
次に、第１筐体１０１の構成について説明する。
図２は、第１筐体１０１の分解斜視図である。
図２においては、符号２１が付された側が携帯端末１００を閉状態にしたときに外側に露出される側であり、符号３２が付された側が携帯端末１００を閉状態にしたときに第２筐体１０２により外側から閉塞される側である。
【００１７】
図２に示すように、第１筐体１０１は、リアプレート２１（本発明の閉塞部材に対応）と、両面テープ２２と、両面テープ２３と、導光板２４（本発明の導光部材に対応）と、リアケース２５と、板金部材２６（本発明の金属部材に対応）と、ＬＥＤ（Light Emitting Diode）２８（本発明の光照射部に対応）が実装されたフレキシブル基板２７と、回路基板２９と、フロントケース３０と、液晶モジュール３１と、液晶保護プレート３２とが積層配設されて構成される。
【００１８】
リアプレート２１は、例えば強化ガラスや樹脂製のプレートで形成されるプレート部材である。リアプレート２１は、両面テープ２２および両面テープ２３を介してリアケース２５に配設されることにより携帯端末１００の閉状態において外部に露出される。なお、本実施形態においては、リアプレート２１は、端部領域２１１と中央領域２１２とが異なる領域に区分されて形成されている。
リアプレート２１の端部領域２１１は、その表裏少なくともいずれかの面がハーフミラーとなるように構成されている。なお、本実施形態では、所定の反射率と透過率とを有する面をハーフミラーと称する。
リアプレート２１の中央領域２１２は、光を透過させない非透明の部材により形成され、後述するＬＥＤ２８による第１筐体１０１内部からの光を外部に漏らさない役割を果たす。
両面テープ２２は、第１筐体１０１の外部側の面がリアプレート２１の中央領域２１２に接着され、第１筐体１０１の内部側の面の面が後述するリアケース２５の中央領域２５１に接着される両面接着部材である。なお、両面テープ２２の形状および大きさは、リアプレート２１の中央領域２１２の形状および大きさと略同一に形成されている。
【００１９】
両面テープ２３は、第１筐体１０１の外部側の面がリアプレート２１の端部領域２１１に接着され、第１筐体１０１の内部側の面が導光板２４に接着される両面接着部材である。なお、両面テープ２３の形状および大きさは、リアプレート２１の端部領域２１１の形状および大きさと略同一に形成されている。
【００２０】
導光板２４は、ほぼ透明であり、光の拡散率の高い例えばポリカーボネイト等の樹脂により形成される導光部材である。導光板２４は、第１筐体１０１の外部側の面が両面テープ２３に接着されることにより、リアケース２５に配設される。また、導光板２４は、第１筐体１０１の幅方向においてＬＥＤ２８と対向し、第１筐体１０１の厚さ方向において開口部２５３及び後述する開口部３０１に対向するようにリアケース２５に配設される。このため、結果として導光板２４は、ＬＥＤ２８と後述する板金部材２６の間に配設されることとなる。なお、導光板２４の大きさは、リアプレート２１の端部領域２１１の大きさと略同一に形成されている。
【００２１】
リアケース２５は、樹脂等で形成されたケース体であり、フロントケース３０と周縁部において嵌合されて第１筐体１０１の外観を構成する。
板金部材２６は、リアケース２５の端部領域２５２上に配設された金属の板状部材である。板金部材２６は、例えば銅等、光の拡散率・反射率が高く、剛性が高い金属によって形成されることが望ましい。
【００２２】
リアケース２５及び板金部材２６の詳細についてさらに説明する。
図３は、リアケース２５及び板金部材２６について説明するための図である。
図３（a）は、リアケース２５を第１筐体１０１における外部側から見た図であり、図３（ｂ）は図３（ａ）における線α−α’でのリアケース２５の幅方向の断面図である。
図３（a）に示すように、リアケース２５は、中央領域２５１、端部領域２５２、中央領域２５１と端部領域２５２との間に開けられた複数の開口部２５３（本発明の第１の開口部に対応）、端部領域２５２に開けられた複数の開口部２５４を有する。
【００２３】
中央領域２５１は、リアケース２５の中央部付近を構成する部材であり、ＬＥＤ２８が照射する光を開口部２５３及び２５４以外から第１筐体１０１の外部に漏れさせないように遮蔽するための光遮蔽部材として構成されている。中央領域２５１は、後述する端部領域２５２よりも一段高く構成されている。図３（ｃ）に、図３（ａ）に示した線β−β’（開口部２５３が開けられていない位置）での断面図を示す。図３（ｃ）に示すように、リアケース２５は開口部２５３が開けられていない位置では中央領域２５１と端部領域２５２とが結合して形成されている。
【００２４】
端部領域２５２は、図３（ａ）から（ｃ）に示すように、リアケース２５の周縁部（端部）を構成する部材である。図３（ｃ）に示すように、開口部２５３が存在しない位置では、中央領域２５１と端部領域２５２とが結合しているため、リアケース２５は、開口部２５３以外からＬＥＤ２８が照射する光を漏らさずに済む。
【００２５】
端部領域２５２は、図３（ｂ）及び（ｃ）に示すように、開口部２５４を有する。開口部２５４は、ＬＥＤ２８が照射した光を第１筐体１０１の内部側、フロントケース３０の方に通すための孔部である。
また、端部領域２５２には、板金部材２６が配設される。そして、板金部材２６は、開口部２５４付近では、リアケース２５の端部領域から開口部２５４の内側まで延出されるような形に形成される。板金部材は、開口部２５４が開けられていない位置では、図３（ｃ）に示すようにリアケース２５の端部領域に沿うように形成される。
なお、板金部材２６は、例えば、射出成型等により、端部領域２５２と一体に形成されていてもよい。
また、板金部材２６は、例えば回路基板２９等に形成された基準電位である図示しないグランドパターンと当接することで電気的に接続され、基準電位となるように構成される。これにより、リアケース２５・板金部材２６周辺の電気的・磁気的ノイズが好適に除去される。
【００２６】
中央領域２５１と端部領域２５２との間に複数開けられた開口部２５３は、ＬＥＤ２８が照射する光を通過させるための孔部である。開口部２５３は、ＬＥＤ２８と同数だけリアケース２５に設けられる。図３（ａ）に示すように、開口部２５３は、第１筐体１０１の外部側正面から見た場合、それぞれほぼ台形形状になるように形成されている。また、図３（ｂ）に示すように、開口部２５３は中央領域２５１と端部領域２５２との間に開けられている。
【００２７】
フレキシブル基板２７は、各種制御を行う基板である。特に本実施形態においては、フレキシブル基板２７には、第１筐体１０１の外部側の面にＬＥＤ２８が複数実装される。そして、各ＬＥＤ２８に制御信号を伝達するための回路やグランドパターンが形成されフレキシブル基板２７上に形成される。
そして、フレキシブル基板２７は、複数のＬＥＤ２８の位置とリアケース２５に形成された複数の開口部２５３の位置とがそれぞれ対応するように、第１筐体１０１の内部に配設される。なお、複数のＬＥＤ２８は、一部のみ発光することも、全てを同時に発光することもできるように構成されている。
ＬＥＤ２８は、例えば発光ダイオード等で構成される光源部である。
【００２８】
図４は、このように、フレキシブル基板２７に実装される複数のＬＥＤ２８が開口部２５３に対応するように配設された様子をリアケース２５における第１筐体１０１の外部側正面から見た図である。なお、ＬＥＤ２８は、リアケース２５の中央領域２５１の内面側に位置するため、リアケース２５における第１筐体１０１の外部側正面からリアケース２５を見た場合には視認できない。そこで、図４においては、ＬＥＤ２８を点線で囲んで示している。
【００２９】
回路基板２９は、第１筐体１０１の各機能を実現するための電子部品類を実装した回路基板である。回路基板２９には、リアケース２５の端部領域２５２に開けられた開口部２５４に対応した位置に、開口部２９１が開けられている。
フロントケース３０は、樹脂等で形成されたケース体であり、リアケース２５と周縁部において嵌合されて第１筐体１０１の外観を構成する。
フロントケース３０には、フレキシブル基板２７の開口部２７１に対応する位置に開口部３０１（本発明の第２の開口部に対応）が開けられている。
結果として、開口部３０１は、リアプレート２１における第１筐体１０１の内部側の面に対向することとなり、リアプレート２１により反射された光の進行方向に対応してフロントケース３０に形成されることになる。
【００３０】
液晶モジュール３１は、携帯端末１００の表示デバイスである液晶ディスプレイを構成及び稼動させるためのモジュールである。液晶モジュール３１は、例えば回路基板２９と電気的に接続されており、回路基板２９に実装された図示しない表示制御部の制御等に従って表示を行う。
液晶保護プレート３２は、液晶モジュール３１を外部から保護するためのプレート部材であり、樹脂等により形成されている。液晶保護プレート３２は、液晶モジュール３１に表示された表示内容を透過して外部より見える状態とする必要があるため、透過率が非常に高い物質で形成される。
【００３１】
本実施形態の携帯端末１００においては、第１筐体１０１内に配設されたＬＥＤ２８から照射された光が、上述した各構成を介して外部に放射される。以下、ＬＥＤ２８から照射された光が外部に放射される様子について説明する。
【００３２】
図５は、第１筐体１０１の幅方向における、複数のＬＥＤ２８のうちの１つを通過する線に沿った断面図である。
図５に示すように、ＬＥＤ２８は、光の照射面２８１を有し、照射面２８１が、実際に光が照射される第１筐体１０１の幅方向、すなわち、リアケース２５の中央領域２５１から端部領域２５２を向くように、フレキシブル基板２７上に実装される。
そして、ＬＥＤ２８から照射された光は、まずリアケース２５の端部領域２５２における第１筐体１０１の外部側の面に配設された導光板２４に入射する。
導光板２４は、図５の矢印Ａに示すように、ＬＥＤ２８から入射した光を板金部材２６に導く。
導光板２４の図５における下側の面（第１筐体１０１における内側の面）は、ＬＥＤ２８からリアプレート２１及び板金部材２６にかけて傾斜した傾斜面を有しており、これによりＬＥＤ２８から照射され導光板２４に入射された光が効率よく板金部材２６に導かれることになる。
導光板２４により導かれた光は、板金部材２６の導光板２４と接する部位（図５に示す部位Ｂ）に反射され、リアケース２５の開口部２５３を通って、リアプレート２１の端部領域２１１に達する（図５に示す矢印Ｃ）。
【００３３】
上述したように、リアプレート２１の端部領域２１１は、その表裏いずれかの面が所定の透過率と反射率とを併せ持つハーフミラーに構成されている（図５においては、リアプレート２１の外部側の面にハーフミラーが構成されている場合を示した）ため、板金部材２６に反射されて端部領域２１１に到達した光は、その一部が外部に放射され（図５に示す矢印Ｄ）、残りが第１筐体１０１内部へと反射される（図５に示す矢印Ｅ）。
【００３４】
なお、リアプレート２１の中央領域２１２は、上述したように、光の透過率の低い部材（例えば、光の透過率の低い黒色系の着色が施された部材）で形成されており、ＬＥＤ２８からの光を遮断する。また、そこに接着される両面テープ２２もまた光の透過率の低い部材（例えば、黒色系の着色が施された部材）で形成され、ＬＥＤ２８の照射面２８１から照射された光を遮断する。一方、リアプレート２１の端部領域２１１に接着される両面テープ２３は光の透過率の高い部材（例えば、透明または半透明の部材）で形成され、光を透過する。
【００３５】
リアプレート２１の端部領域２１１により反射された光は、図５の矢印Ｆに示すように、リアケース２５の開口部２５４、回路基板２９の開口部２９１、フロントケース３０の開口部３０１を通って、液晶保護プレート３２に到達する。液晶保護プレート３２は、上述したように透過率が高い部材で構成されているため、フロントケース３０の開口部３０１から放射された光が第１筐体１０１の液晶側の面（携帯端末１００を閉状態にしたときに第２筐体１０２により外側から閉塞される側の面）の一部を光らせることになる。
【００３６】
なお、ＬＥＤ２８の照射面２８１から照射される光には、導光板２４に入射されるものの他、導光板２４を経由せず、直接第１筐体１０１の外部側に向けて照射されるもの、或いは、第１筐体１０１の内部側に向けて照射されるものも含まれる。
しかし、ＬＥＤ２８から直接第１筐体１０１の外部側に向けて照射される光は、光の透過率の低い部材で形成された両面テープ２２およびリアプレート２１の中央領域２１２に入射されることとなるため、そのほとんどが遮断される。
また、ＬＥＤ２８から第１筐体１０１の内部側に向けて照射される光は、フレキシブル基板２７や回路基板２９により遮断され、第１筐体１０１の液晶側の面まで侵出することはほとんど無い。
【００３７】
以上をまとめると、ＬＥＤ２８から照射された光は、板金部材２６により反射されて、その一部が矢印Ｄに示すように第１筐体１０１のリアケース２５側の面（リアプレート２１側の面）から効率的に放射され、残りが矢印Ｆに示すように、リアプレート２１の端部領域２１１のハーフミラーに反射されて第１筐体１０１のフロントケース３０側の面（液晶側の面）から放射される。
【００３８】
ところで、回路基板２９において、開口部２９１の周囲には図示しないグランドパターン（金パターン等）が形成されており、図５に示すように、上述した板金部材２６はこのグランドパターンに当接している。これにより、板金部材２６は基準電位と同電位になる。
また、図５に示すように、フロントケース３０は板金部材３０２を有する。板金部材３０２は、導電性を有する金属の板で構成される部材であり、フロントケース３０、ひいては第１筐体１０１の強度を向上させる役割を果たす。
また、板金部材３０２は、図５に示すように、フロントケース３０の開口部３０１に合わせて開口部３０３を有する。さらに、開口部３０１の強度向上及び、第１筐体１０１の厚さ方向の更なる強度向上のために、開口部３０３から第１筐体１０１の厚さ方向に伸びる延出部３０４を有する。延出部３０４も、板金部材３０２と同様の部材からなる。
板金部材３０２は、開口部３０３付近において、回路基板２９のグランドパターンと当接し、基準電位と同電位になるように構成されている。これにより、液晶モジュール３１や外部からの電気的・磁気的な影響から回路基板２９を保護し、適切な静電対策を実現することができる。
【００３９】
さらに、図５に示すように、開口部３０１の端部側側面に沿って、導電性を有する静電対策部材３０５が配設されていてもよい。静電対策部材３０５は、例えば金属板や金属箔等の導電性を有する部材であり、開口部３０１の端部側側面をフロントケース３０の開口部３０１からフロントケース３０と液晶保護プレート３２の合わせ目まで覆うように配設される。これにより、フロントケース３０側からの第１筐体１０１の静電対策が一層強固なものとなる。
【００４０】
次に、ＬＥＤ２８から照射された光が第１筐体１０１の外部からどのように視認されるかについて説明する。
図６は、ＬＥＤ２８から照射されて第１筐体１０１の外部に放射された光が、リアプレート２１側の外部からどのように視認されるかを示した図であり、図６（ａ）は、リアプレート２１が取り外された状態で単一のＬＥＤ２８から光が照射されたときの様子をリアケース２５の外部側正面から見た図であり、図６（ｂ）は、リアプレート２１が取り付けられた状態で単一のＬＥＤ２８から光が照射されたときの様子をリアケース２５の外部側正面から見た図であり、図６（ｃ）は、リアプレート２１が取り付けられた状態で複数のＬＥＤ２８から同時に光が照射されたときの様子をリアケース２５の外部側正面から見た図である。
【００４１】
図６（ａ）に示すように、リアケース２５の開口部２５３は、ＬＥＤ２８を中心としてほぼ放射状に形成されているため、例えば、ＬＥＤ２８の１つから照射されて導光板２４及び板金部材２６により放射状に拡散された光は、導光板２４及び板金部材２６により放射状に拡散され、結果として図６（ａ）の範囲Ｇ（斜線部）に示す部位がリアケース２５の外部側正面からは光っているように見える。
そして、図６（ｂ）に示すように、この光は、リアプレート２１が取り付けられた場合には、範囲Ｇに対応する範囲Ｈ（斜線部）に示す部位がリアケース２５の外部側正面からは光っているように見える。
一方、図６（ｃ）に示すように、複数のＬＥＤ２８から同時に光が照射された場合には、各ＬＥＤ２８から照射された光が互いに連続するため、結果として範囲Ｉ（斜線部）、すなわち、リアケース２５の外部側正面から見た場合には、リアプレート２１の端部領域２１１のほぼ全域が光っているように見える。
【００４２】
次に、第１筐体１０１のフロントケース３０側の面における発光の様子を図７に示す。
図７は、第１筐体１０１のフロントケース３０側の外部から見た場合の発光の様子を示す図である。
図７（ａ）は、フロントケース３０に開けられた開口部３０１の位置の具体例を示す図である。図７（ａ）に示すように、開口部３０１はフロントケース３０の液晶モジュール３１を囲む部位に形成されている。
従って、１つのＬＥＤ２８から照射された光が、開口部３０１を通して放射されると、図７（ｂ）に示すように、液晶保護プレート３２における液晶周囲の一部Ｊが光っているように見える。
ここで、開口部３０１は、複数のＬＥＤ２８と同数だけ開けられており、それぞれの開口部３０１がそれぞれのＬＥＤ２８の発する光を通して放射させるように構成されている。従って、全てのＬＥＤ２８から光が照射された場合には、図７（ｃ）に示すように、範囲Ｋ、すなわち液晶の周囲全体が光っているように見えることになる。
【００４３】
以上説明したように、本実施形態の携帯端末１００によれば、ＬＥＤ２８から照射された光は、導光板２４を介してリアケース２５に開けられた開口部２５３に配設された板金部材２６に到達してリアプレート２１の方向へと反射され、反射された光がリアプレート２１の端部領域２１１のハーフミラーにより一部が外部に放射され、残りは反射されて第１筐体１０１の内部方向（フロントケース３０の方向）へと向かう。第１筐体１０１の内部方向に向かった光は、回路基板２９に開けられた開口部２９１、及びフロントケース３０に開けられた開口部３０１から第１筐体１０１のフロントケース３０側の面（液晶側の面）から外部へと放射される。したがって、本実施形態の携帯端末１００では、リアケース側の面のリアプレート２１の端部領域２１１と、フロントケース側の液晶の周囲の領域との両方を、同じＬＥＤ２８により光らせることができる。このため、部品点数を増やさず、第１筐体１０１の厚さも増大させずに、第１筐体１０１の２面を光らせることができる構成を得ることができる。また、板金部材２６は光の反射率・拡散率が高い金属部材で構成されているため、ＬＥＤ２８が照射する光を効率よく反射させることができる。
【００４４】
また、本実施形態の携帯端末１００によれば、リアケース２５の端部領域２５２において、剛性が高い金属部材である板金部材２６が開口部２５４の筐体外部方向の側面及び、端部領域２５２の側面に沿うような形で形成されているため、リアケース２５には複数のＬＥＤ２８と同数だけ開口部２５３が開けられているにもかかわらず、板金部材２６が第１筐体１０１の厚さ方向の強度を補強することができる。金属部材は一般的に屈曲された方が強度が向上するため、板金部材２６が筐体外部方向の側面及び、端部領域２５２の側面に沿うような形で屈曲して形成されることで板金部材２６の強度がさらに向上し、これに伴い第１筐体１０１の厚さ方向の剛性もさらに向上する。
また、本実施形態の携帯端末１００によれば、板金部材２６は基準電位である回路基板２９のグランドパターンと電気的に接続され、基準電位となるように構成されるので、ノイズが進入しやすい開口部２５３周辺の電気的・磁気的ノイズを除去することができる。
【００４５】
また、本実施形態の携帯端末１００によれば、フロントケース３０は板金部材３０２を内包している。リアプレート２１の端部領域２１１のハーフミラーにより反射された光をフロントケース３０側の面に通すためのフロントケース３０の開口部３０１に対応する位置に板金部材３０２も開口部３０３を有するので、板金部材３０２は、光を遮ることなく第１筐体１０１の強度を向上させることができる。
【００４６】
また、本実施形態の携帯端末１００によれば、板金部材３０２は、静電対策部材３０５により回路基板２９に設けられたグランドパターンに当接しており、基準電位となっている。このため、第１筐体１０１内を外部から電気的・磁気的に保護することが可能になる。
【００４７】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
また、上述した実施形態における板金部材２６は板金状の金属部材により構成されていたが、本発明はこれには限定されず、その他の形状で構成されていてもよい。
【００４８】
上述した実施形態では、図５に示すように、リアケース２５の開口部２５３（本発明の第１の開口部）と、フロントケース３０の開口部３０１（本発明の第２の開口部）が、第１筐体１０１の厚さ方向において対応する位置に配設されているが、本発明はこれには限定されない。すなわち、本発明では第１の開口部と第２の開口部の位置関係については特に限定しない。したがって、例えば、第２の開口部が第１筐体１０１の側面部に開けられた開口部であり、第１筐体１０１の側面とリアプレート側の面とがＬＥＤ２８から照射される光により光るような構成としてもよい。この場合には、光を反射させるための金属部材等を第１筐体１０１内部に適宜配設すればよい。
【００４９】
また、上述した実施形態においては、携帯端末１００は折り畳み型の携帯電話機であるとしたが、本発明はこれには限定されない。発光構造を有する電子機器類であれば、折り畳み型以外の携帯電話機、ＰＤＡ（Personal Digital Assistant）等の電子機器であってもよい。
【図面の簡単な説明】
【００５０】
【図１】図１は、携帯端末の外観の一例を示した図である。
【図２】図２は、第１筐体の分解斜視図である。
【図３】図３は、リアケース及び板金部材について説明するための図である。
【図４】図４は、フレキシブル基板に実装される複数のＬＥＤが開口部に対応するように配設された様子をリアケースにおける第１筐体の外部側正面から見た図である。
【図５】図５は、第１筐体の幅方向における、複数のＬＥＤのうちの１つを通過する線に沿った断面図である。
【図６】図６は、ＬＥＤから照射されて第１筐体の外部に放射された光が、外部からどのように視認されるかを示した図である。
【図７】図７は、第１筐体のフロントケース側の外部から見た場合の発光の様子を示す図である。
【符号の説明】
【００５１】
１００…携帯端末、１０１…第１筐体、１０２…第２筐体、１０３…ヒンジ部、１０…表示装置、１１…スピーカ、１２…操作部、１３…マイク、２１…リアプレート、２１１…端部領域、２１２…中央領域、２２…両面テープ、２３…両面テープ、２４…導光板、２５…リアケース、２５１…中央領域、２５２…端部領域、２５３…開口部、２５４…開口部、２６…板金部材、２７…フレキシブル基板、２７１…開口部、２８…ＬＥＤ、２８１…照射面、２９…回路基板、２９１…開口部、３０…フロントケース、３０１…開口部、３０２…板金部材、３０３…開口部、３０４…延出部、３０５…静電対策部材、３１…液晶モジュール、３２…液晶保護プレート
【図１】
2009267871.tif 000003
【図２】
2009267871.tif 000004
【図３】
2009267871.tif 000005
【図４】
2009267871.tif 000006
【図５】
2009267871.tif 000007
【図６】
2009267871.tif 000008
【図７】
2009267871.tif 000009